(57)【要約】【課題】利用者による簡易な操作で、一方の端末装置において、他方の端末装置に記憶されたコンテンツを処理することを可能とする。【解決手段】携帯電話機１Ａは、制御部１０２と、コンテンツを記憶する記憶部１０３と、利用者によって操作されるタッチパネル式ディスプレイ３０とを備える。タッチパネル式ディスプレイ３０は、他の携帯電話機に備えられて利用者によって操作されるタッチパネル式ディスプレイとともに所定操作部であるタッチパネル式操作部を構成する。制御部１０２は、利用者によるタッチパネル式操作部の操作に応じて、他の携帯電話機に記憶されたコンテンツの処理を実行する。また、制御部１０２は、利用者によるタッチパネル式操作部の操作に応じて、記憶部１０３に記憶されたコンテンツを、他の携帯電話機において処理可能な状態とする。【選択図】図３
2010108212.tif 000002
【特許請求の範囲】
【請求項１】
複数の端末装置が接触して構成され、前記各端末装置内のコンテンツを処理するコンテンツ処理システムであって、
前記各端末装置は、
内部コンテンツを記憶する記憶部と、
利用者によって操作される操作部と、
前記操作部は、他の端末装置に備えられて利用者によって操作される他の操作部とともに所定操作部を構成するものであり、
利用者による前記所定操作部の操作に応じて、前記他の端末装置に記憶された外部コンテンツの処理を実行する処理実行部と、
利用者による前記所定操作部の操作に応じて、前記記憶部に記憶された前記内部コンテンツを、前記他の端末装置において処理可能な状態とする状態制御部と
を備えるコンテンツ処理システム。
【請求項２】
複数の端末装置が接触して構成され、前記各端末装置内のコンテンツを処理するコンテンツ処理システムにおける端末装置であって、
内部コンテンツを記憶する記憶部と、
利用者によって操作される操作部と、
前記操作部は、前記他の端末装置に備えられて利用者によって操作される他の操作部とともに所定操作部を構成するものであり、
利用者による前記所定操作部の操作に応じて、前記他の端末装置に記憶された外部コンテンツの処理を実行する処理実行部と、
利用者による前記所定操作部の操作に応じて、前記記憶部に記憶された前記内部コンテンツを、前記他の端末装置において処理可能な状態とする状態制御部と
を備える端末装置。
【請求項３】
前記処理実行部は、利用者による前記所定操作部の操作により、前記他の端末装置に記憶された前記外部コンテンツが選択され、且つ、利用者による前記所定操作部の操作により、自端末装置において実行可能な処理機能である内部処理機能が選択された場合に、選択された前記内部処理機能に応じて、選択された前記外部コンテンツの処理を実行する請求項２に記載の端末装置。
【請求項４】
前記他の端末装置と接触した場合にのみ、自端末装置において実行可能となる前記内部処理機能を設定する設定部を備え、
前記処理実行部は、利用者による前記所定操作部の操作により、前記他の端末装置に記憶された前記外部コンテンツが選択され、且つ、利用者による前記所定操作部の操作により、前記設定部により設定された前記内部処理機能が選択された場合に、選択された前記内部処理機能に応じて、選択された前記外部コンテンツの処理を実行する請求項３に記載の端末装置。
【請求項５】
前記他の端末装置から、利用者による前記所定操作部の操作により、前記他の端末装置に記憶された前記外部コンテンツが選択されたことを示す外部コンテンツ選択情報を受信する外部情報受信部と、
利用者による前記所定操作部の操作により、自端末装置において実行可能な前記内部処理機能が選択されたことを示す内部処理機能選択情報を取得する内部情報取得部と
を備え、
前記処理実行部は、前記外部情報受信部により前記外部コンテンツ選択情報が受信され、且つ、前記内部情報取得部により、前記内部処理機能選択情報が取得された場合に、前記内部処理機能選択情報に基づいて特定される前記内部処理機能に応じて、前記外部コンテンツ選択情報に基づいて特定される前記外部コンテンツの処理を実行する請求項２乃至請求項４の何れかに記載の端末装置。
【請求項６】
前記状態制御部は、利用者による前記所定操作部の操作により、前記記憶部に記憶された前記内部コンテンツが選択された場合に、選択された前記内部コンテンツを、前記他の端末装置において処理可能な状態とする請求項２乃至請求項５の何れかに記載の端末装置。
【請求項７】
利用者による前記所定操作部の操作により、前記記憶部に記憶された前記内部コンテンツが選択されたことを示す内部コンテンツ選択情報を前記他の端末装置へ送信する内部情報送信部を備える請求項２乃至請求項６の何れかに記載の端末装置。
【請求項８】
前記状態制御部は、前記他の端末装置による前記記憶部に記憶された前記内部コンテンツの読み出しを可能とする請求項２乃至７の何れかに記載の端末装置。
【請求項９】
前記操作部は、タッチパネルであり、
前記タッチパネルは、前記他の操作部である他のタッチパネルとともに前記所定操作部を構成する請求項２乃至請求項８の何れかに記載の端末装置。
【請求項１０】
前記処理実行部は、前記外部コンテンツを選択するための前記他のタッチパネルに対する接触操作と、前記他のタッチパネルから前記タッチパネルにかけて連続的に接触する操作と、前記内部処理機能を選択するための前記タッチパネルに対する接触操作とが、利用者によって行われた場合と、前記内部処理機能を選択するための前記タッチパネルに対する接触操作と、前記タッチパネルから前記他のタッチパネルにかけて連続的に接触する操作と、前記外部コンテンツを選択するための前記他のタッチパネルに対する接触操作とが、利用者によって行われた場合との少なくとも何れかにおいて、選択された前記内部処理機能に応じて、選択された前記外部コンテンツの処理を実行する請求項９に記載の端末装置。
【請求項１１】
前記他のタッチパネルから前記タッチパネルにかけて連続的に接触する操作が利用者によって行われたか否かの判定と、前記タッチパネルから前記他のタッチパネルにかけて連続的に接触する操作が利用者によって行われたか否かの判定との少なくとも何れかを行う操作判定部を備える請求項１０に記載の端末装置。
【請求項１２】
前記操作判定部は、利用者が前記他のタッチパネルに対する接触を終了してから前記タッチパネルに対する接触を開始するまでの時間が所定時間内であり、且つ、前記他のタッチパネルにおける接触の終了位置と、前記タッチパネルにおける接触の開始位置とが所定の位置関係である場合に、前記他のタッチパネルから前記タッチパネルにかけて連続的に接触する操作が行われたと判定することと、利用者が前記タッチパネルに対する接触を終了してから前記他のタッチパネルに対する接触を開始するまでの時間が所定時間内であり、且つ、前記タッチパネルにおける接触の終了位置と、前記他のタッチパネルにおける接触の開始位置とが所定の位置関係である場合に、前記タッチパネルから前記他のタッチパネルにかけて連続的に接触する操作が行われたと判定することとの少なくとも何れかを行う請求項１１に記載の端末装置。
【請求項１３】
前記他の端末装置との接触部を備え、
前記接触部は、
前記操作部と前記他の操作部とによって前記所定操作部を構成可能であるか否か、自端末装置が前記外部コンテンツを処理可能であるか否か、及び、前記他の端末装置が前記内部コンテンツを処理可能であるか否かを示す第１の互換性情報を保持する保持部と、
前記他の端末装置における保持部に保持された、前記操作部と前記他の操作部とによって前記所定操作部を構成可能であるか否か、自端末装置が前記外部コンテンツを処理可能であるか否か、及び、前記他の端末装置が前記内部コンテンツを処理可能であるか否かを示す第２の互換性情報を読み取る情報読み取り部と
を備える請求項２乃至１２の何れかに記載の端末装置。
【請求項１４】
前記情報読み取り部により読み取られた前記第２の互換性情報に基づいて、前記操作部と前記他の操作部とによって前記所定操作部を構成可能であるか否か、自端末装置が前記外部コンテンツを処理可能であるか否か、且つ、前記他の端末装置が前記内部コンテンツを処理可能であるか否かを判定する互換性判定部と、
前記互換性判定部によって、前記操作部と前記他の操作部とによって前記所定操作部を構成可能であり、自端末装置が前記外部コンテンツを処理可能であり、且つ、前記他の端末装置が前記内部コンテンツを処理可能であると判定された場合に、前記操作部と前記他の操作部とによって前記所定操作部を構成し、前記他の端末装置が、自端末装置が前記外部コンテンツを処理し、且つ、前記他の端末装置が前記内部コンテンツを処理する状態となるように、前記他の端末装置へ要求する第１の状態要求を送信する状態要求送信部と、
前記他の端末装置から送信される、前記操作部と前記他の操作部とによって前記所定操作部を構成し、自端末装置が前記外部コンテンツを処理し、且つ、前記他の端末装置が前記内部コンテンツを処理する状態となるように、自端末装置へ要求する第２の状態要求を受信する状態要求受信部と
を備え、
前記処理実行部は、前記状態要求送信部によって前記第１の状態要求が送信され、且つ、前記状態要求受信部によって前記第２の状態要求が受信された場合に、利用者による前記所定操作部の操作に応じて、前記他の端末装置に記憶された外部コンテンツの処理を実行し、
前記状態制御部は、前記状態要求送信部によって前記第１の状態要求が送信され、且つ、前記状態要求受信部によって前記第２の状態要求が受信された場合に、利用者による前記所定操作部の操作に応じて、前記記憶部に記憶された前記内部コンテンツを、前記他の端末装置において処理可能な状態とする請求項２乃至１３の何れかに記載の端末装置。
【請求項１５】
前記接触部は、前記タッチパネル周囲における少なくとも３つの側面に設けられる請求項１４に記載の端末装置。
【請求項１６】
複数の端末装置が接触して構成され、前記各端末装置内のコンテンツを処理するコンテンツ処理システムにおけるコンテンツ処理方法であって、
前記端末装置が、自端末装置に備えられた操作部と前記他の端末装置に備えられた他の操作部とにより構成される所定操作部が利用者によって操作されたことに応じて、前記他の端末装置に記憶された外部コンテンツの処理を実行するステップと、
前記端末装置が、前記所定操作部が利用者によって操作されたことに応じて、自端末装置に備えられた記憶部に記憶された内部コンテンツを、前記他の端末装置において処理可能な状態とするステップと
を備えるコンテンツ処理方法。
【発明の詳細な説明】
【技術分野】
【０００１】
本発明は、複数の端末装置が接触して構成され、各端末装置内のコンテンツを処理するコンテンツ処理システム、当該コンテンツシステムを構成する端末装置、及び、当該端末装置におけるコンテンツ処理方法に関する。
【背景技術】
【０００２】
近年、携帯電話機等の端末装置間で、それぞれの端末装置に記憶されている名刺情報、写真、動画等の各種コンテンツを送受信することが多くなっている。
【０００３】
このようなシステムにおいて、例えば、端末装置間で名刺情報を送受信する場合、一方の端末装置による名刺情報の送信、他方の端末装置による名刺情報の受信等の各種処理が行われる。
【０００４】
このように、複数の端末装置間で各種コンテンツを送受信するシステムとしては、例えば特許文献１が挙げられる。
【特許文献１】特開２００２−１７５２３４号公報
【発明の開示】
【発明が解決しようとする課題】
【０００５】
しかしながら、上述した従来のシステムには、次のような問題がある。具体的には、一方の端末装置に記憶されたコンテンツを、他方の端末装置に用意された処理機能によって処理する場合、一方の端末装置によるコンテンツの送信、他方の端末装置によるコンテンツの受信等の各種処理のために、利用者は、それぞれの端末装置における操作ボタン等を個別独立に操作する。しかし、このような操作は煩雑である。
【０００６】
また、将来的には、ＤＬＮＡ（Digital Living Network Alliance）のように、家庭内ＬＡＮ（Local Area Network）等を用いて複数の端末装置を相互に接続し、一方の端末装置が記憶しているコンテンツを、他方の端末装置に用意された処理機能によって処理する利用態様が多くなることが予想される。従って、このような利用態様を、利用者に負担をかけることなく簡易に実現することが要求されている。
【０００７】
そこで、本発明は、上述した課題を解決するためになされたものであり、利用者による簡易な操作で、一方の端末装置において、他方の端末装置に記憶されたコンテンツを処理することを可能としたコンテンツ処理システム、端末装置及びコンテンツ処理方法を提供することを目的とする。
【課題を解決するための手段】
【０００８】
上述した課題を解決するために、本発明は以下のような特徴を有している。まず、本発明の第１の側面は、複数の端末装置（携帯電話機１Ａ、携帯電話機１Ｂ）が接触して構成され、前記各端末装置内のコンテンツを処理するコンテンツ処理システム（コンテンツ処理システム１００）であって、前記各端末装置は、内部コンテンツを記憶する記憶部（記憶部１０３）と、利用者によって操作される操作部（タッチパネル式ディスプレイ３０）と、前記操作部は、他の端末装置に備えられて利用者によって操作される他の操作部とともに所定操作部（タッチパネル式操作部３１）を構成するものであり、利用者による前記所定操作部の操作に応じて、前記他の端末装置に記憶された外部コンテンツの処理を実行する処理実行部（処理実行部２０１）と、利用者による前記所定操作部の操作に応じて、前記記憶部に記憶された前記内部コンテンツを、前記他の端末装置において処理可能な状態とする状態制御部（状態制御部２１８）とを備えることを要旨とする。
【０００９】
このようなコンテンツ処理システムによれば、複数の端末装置が接触すると、各端末装置内の操作部によって所定操作部が構成される。更に、このようなコンテンツシステムによれば、利用者による所定操作部の操作に応じて、一方の端末装置内のコンテンツを他方の端末装置において処理することが可能となる。
【００１０】
つまり、利用者は、各端末装置内の操作部を所定操作部として用いることができ、簡易な操作で、一方の端末装置において、他方の端末装置に記憶されたコンテンツを処理することが可能となる。
【００１１】
本発明の第２の側面は、複数の端末装置が接触して構成され、前記各端末装置内のコンテンツを処理するコンテンツ処理システム（コンテンツ処理システム１００）における端末装置（携帯電話機１Ａ、携帯電話機１Ｂ）であって、内部コンテンツを記憶する記憶部（記憶部１０３）と、利用者によって操作される操作部（タッチパネル式ディスプレイ３０）と、前記操作部は、他の端末装置に備えられて利用者によって操作される他の操作部とともに所定操作部（タッチパネル式操作部３１）を構成するものであり、利用者による前記所定操作部の操作に応じて、前記他の端末装置に記憶された外部コンテンツの処理を実行する処理実行部（処理実行部２０１）と、利用者による前記所定操作部の操作に応じて、前記記憶部に記憶された前記内部コンテンツを、前記他の端末装置において処理可能な状態とする状態制御部（状態制御部２１８）とを備えることを要旨とする。
【００１２】
本発明の第３の側面は、前記処理実行部は、利用者による前記所定操作部の操作により、前記他の端末装置に記憶された前記外部コンテンツが選択され、且つ、利用者による前記所定操作部の操作により、自端末装置において実行可能な処理機能である内部処理機能が選択された場合に、選択された前記内部処理機能に応じて、選択された前記外部コンテンツの処理を実行することを要旨とする。
【００１３】
本発明の第４の側面は、前記他の端末装置と接触した場合にのみ、自端末装置において実行可能となる前記内部処理機能を設定する設定部（設定部２１６）を備え、前記処理実行部は、利用者による前記所定操作部の操作により、前記他の端末装置に記憶された前記外部コンテンツが選択され、且つ、利用者による前記所定操作部の操作により、前記設定部により設定された前記内部処理機能が選択された場合に、選択された前記内部処理機能に応じて、選択された前記外部コンテンツの処理を実行することを要旨とする。
【００１４】
本発明の第５の側面は、前記他の端末装置から、利用者による前記所定操作部の操作により、前記他の端末装置に記憶された前記外部コンテンツが選択されたことを示す外部コンテンツ選択情報を受信する外部情報受信部（外部情報受信部２０８）と、利用者による前記所定操作部の操作により、自端末装置において実行可能な前記内部処理機能が選択されたことを示す内部処理機能選択情報を取得する内部情報取得部（内部情報取得部２１０）とを備え、前記処理実行部は、前記外部情報受信部により前記外部コンテンツ選択情報が受信され、且つ、前記内部情報取得部により、前記内部処理機能選択情報が取得された場合に、前記内部処理機能選択情報に基づいて特定される前記内部処理機能に応じて、前記外部コンテンツ選択情報に基づいて特定される前記外部コンテンツの処理を実行することを要旨とする。
【００１５】
本発明の第６の側面は、前記状態制御部は、利用者による前記所定操作部の操作により、前記記憶部に記憶された前記内部コンテンツが選択された場合に、選択された前記内部コンテンツを、前記他の端末装置において処理可能な状態とすることを要旨とする。
【００１６】
本発明の第７の側面は、利用者による前記所定操作部の操作により、前記記憶部に記憶された前記内部コンテンツが選択されたことを示す内部コンテンツ選択情報を前記他の端末装置へ送信する内部情報送信部を備えることを要旨とする。
【００１７】
本発明の第８の側面は、前記状態制御部は、前記他の端末装置による前記記憶部に記憶された前記内部コンテンツの読み出しを可能とすることを要旨とする。
【００１８】
本発明の第９の側面は、前記操作部は、タッチパネルであり、前記タッチパネルは、前記他の操作部である他のタッチパネルとともに前記所定操作部を構成することを要旨とする。
【００１９】
本発明の第１０の側面は、前記処理実行部は、前記外部コンテンツを選択するための前記他のタッチパネルに対する接触操作と、前記他のタッチパネルから前記タッチパネルにかけて連続的に接触する操作と、前記内部処理機能を選択するための前記タッチパネルに対する接触操作とが、利用者によって行われた場合と、前記内部処理機能を選択するための前記タッチパネルに対する接触操作と、前記タッチパネルから前記他のタッチパネルにかけて連続的に接触する操作と、前記外部コンテンツを選択するための前記他のタッチパネルに対する接触操作とが、利用者によって行われた場合との少なくとも何れかにおいて、選択された前記内部処理機能に応じて、選択された前記外部コンテンツの処理を実行することを要旨とする。
【００２０】
本発明の第１１の側面は、前記他のタッチパネルから前記タッチパネルにかけて連続的に接触する操作が利用者によって行われたか否かの判定と、前記タッチパネルから前記他のタッチパネルにかけて連続的に接触する操作が利用者によって行われたか否かの判定との少なくとも何れかを行う操作判定部（操作判定部２１４）を備えることを要旨とする。
【００２１】
本発明の第１２の側面は、前記操作判定部は、利用者が前記他のタッチパネルに対する接触を終了してから前記タッチパネルに対する接触を開始するまでの時間が所定時間内であり、且つ、前記他のタッチパネルにおける接触の終了位置と、前記タッチパネルにおける接触の開始位置とが所定の位置関係である場合に、前記他のタッチパネルから前記タッチパネルにかけて連続的に接触する操作が行われたと判定することと、利用者が前記タッチパネルに対する接触を終了してから前記他のタッチパネルに対する接触を開始するまでの時間が所定時間内であり、且つ、前記タッチパネルにおける接触の終了位置と、前記他のタッチパネルにおける接触の開始位置とが所定の位置関係である場合に、前記タッチパネルから前記他のタッチパネルにかけて連続的に接触する操作が行われたと判定することとの少なくとも何れかを行うことを要旨とする。
【００２２】
本発明の第１３の側面は、前記他の端末装置との接触部（接触部４０Ａ、接触部４０Ｂ、接触部４０Ｃ）を備え、前記接触部は、前記操作部と前記他の操作部とによって前記所定操作部を構成可能であるか否か、自端末装置が前記外部コンテンツを処理可能であるか否か、及び、前記他の端末装置が前記内部コンテンツを処理可能であるか否かを示す第１の互換性情報を保持する保持部（電子タグ１２５）と、前記他の端末装置における保持部に保持された、前記操作部と前記他の操作部とによって前記所定操作部を構成可能であるか否か、自端末装置が前記外部コンテンツを処理可能であるか否か、及び、前記他の端末装置が前記内部コンテンツを処理可能であるか否かを示す第２の互換性情報を読み取る情報読み取り部（磁気センサ１２６）とを備えることを要旨とする。
【００２３】
本発明の第１４の側面は、前記情報読み取り部により読み取られた前記第２の互換性情報に基づいて、前記操作部と前記他の操作部とによって前記所定操作部を構成可能であるか否か、自端末装置が前記外部コンテンツを処理可能であるか否か、且つ、前記他の端末装置が前記内部コンテンツを処理可能であるか否かを判定する互換性判定部（互換性判定部２０２）と、前記互換性判定部によって、前記操作部と前記他の操作部とによって前記所定操作部を構成可能であり、自端末装置が前記外部コンテンツを処理可能であり、且つ、前記他の端末装置が前記内部コンテンツを処理可能であると判定された場合に、前記操作部と前記他の操作部とによって前記所定操作部を構成し、前記他の端末装置が、自端末装置が前記外部コンテンツを処理し、且つ、前記他の端末装置が前記内部コンテンツを処理する状態となるように、前記他の端末装置へ要求する第１の状態要求を送信する状態要求送信部（状態要求送信部２０４）と、前記他の端末装置から送信される、前記操作部と前記他の操作部とによって前記所定操作部を構成し、自端末装置が前記外部コンテンツを処理し、且つ、前記他の端末装置が前記内部コンテンツを処理する状態となるように、自端末装置へ要求する第２の状態要求を受信する状態要求受信部（状態要求受信部２０６）とを備え、前記処理実行部は、前記状態要求送信部によって前記第１の状態要求が送信され、且つ、前記状態要求受信部によって前記第２の状態要求が受信された場合に、利用者による前記所定操作部の操作に応じて、前記他の端末装置に記憶された外部コンテンツの処理を実行し、前記状態制御部は、前記状態要求送信部によって前記第１の状態要求が送信され、且つ、前記状態要求受信部によって前記第２の状態要求が受信された場合に、利用者による前記所定操作部の操作に応じて、前記記憶部に記憶された前記内部コンテンツを、前記他の端末装置において処理可能な状態とすることを要旨とする。
【００２４】
本発明の第１５の側面は、前記接触部は、前記タッチパネル周囲における少なくとも３つの側面に設けられることを要旨とする。
【００２５】
本発明の第１６の側面は、複数の端末装置が接触して構成され、前記各端末装置内のコンテンツを処理するコンテンツ処理システムにおけるコンテンツ処理方法であって、前記端末装置が、自端末装置に備えられた操作部と前記他の端末装置に備えられた他の操作部とにより構成される所定操作部が利用者によって操作されたことに応じて、前記他の端末装置に記憶された外部コンテンツの処理を実行するステップと、前記端末装置が、前記所定操作部が利用者によって操作されたことに応じて、自端末装置に備えられた記憶部に記憶された内部コンテンツを、前記他の端末装置において処理可能な状態とするステップとを備えることを要旨とする。
【発明の効果】
【００２６】
本発明によれば、利用者による簡易な操作で、一方の端末装置に用意された処理機能によって、他方の端末装置に記憶されたコンテンツを処理することを可能としたコンテンツ処理システム、端末装置及びコンテンツ処理方法を提供することができる。
【発明を実施するための最良の形態】
【００２７】
次に、図面を参照して、本実施形態を説明する。具体的には、（１）コンテンツ処理システムの構成、（２）端末装置の動作、（３）その他の実施形態について説明する。以下の実施形態における図面の記載において、同一又は類似の部分には同一又は類似の符号を付している。
【００２８】
（１）コンテンツ処理システムの構成
まず、本実施形態に係るコンテンツ処理システムの構成について、（１．１）コンテンツ処理システムの全体概略構成、（１．２）携帯電話機の構成の順に説明する。
【００２９】
（１．１）コンテンツ処理システムの全体概略構成
図１及び図２は、本実施形態に係るコンテンツ処理システム１００の全体概略構成図である。
【００３０】
図１及び図２に示すように、コンテンツ処理システム１００は、端末装置である携帯電話機１Ａ及び携帯電話機１Ｂを含む。携帯電話機１Ａ及び携帯電話機１Ｂは、それぞれタッチパネル式ディスプレイ３０を含む。また、携帯電話機１Ａ及び携帯電話機１Ｂは、それぞれ接触部４０Ａ、接触部４０Ｂ及び接触部４０Ｃを含む。これら接触部４０Ａ乃至４０Ｃは、タッチパネル式ディスプレイ３０の周囲における３つの側面に１つずつ設けられている。
【００３１】
図１では、携帯電話機１Ａと携帯電話機１Ｂとは、離隔した状態にある。一方、図２では、携帯電話機１Ａと携帯電話機１Ｂとは、接触した状態にある。また、携帯電話機１Ａと携帯電話機１Ｂとが接触することにより、携帯電話機１Ａ内の接触部４０Ａと、携帯電話機１Ｂ内の接触部４０Ｂとが接触している。なお、携帯電話機１Ａ内の接触部４０Ａは、携帯電話機１Ｂ内の接触部４０Ａ及び接触部４０Ｃの何れかと接触することもできる。更に、携帯電話機１Ａ内のタッチパネル式ディスプレイ３０と、携帯電話機１Ｂ内のタッチパネル式ディスプレイ３０とは、隣接して、所定操作部であるタッチパネル式操作部３１を構成する。
【００３２】
（１．２）携帯電話機の構成
次に、携帯電話機１Ａ及び携帯電話機１Ｂの構成について、（１．２．１）携帯電話機の概略構成、（１．２．２）携帯電話機の詳細構成の順に説明する。但し、携帯電話機１Ｂの概略構成は携帯電話機１Ａと同様であるため、携帯電話機１Ｂの概略構成についての説明は省略する。
【００３３】
（１．２．１）携帯電話機の概略構成
図３は、携帯電話機１Ａの概略構成図である。図３に示すように、携帯電話機１Ａは、制御部１０２、記憶部１０３、アンテナ１０４、通信処理部１０６、エンコーダ１０８、デコーダ１１０、マイク１１２、カメラ１１４、スピーカ１１６及び検出部１２４を含む。また、上述したタッチパネル式ディスプレイ３０は、表示部１１８及びタッチセンサ１２０を含む。また、上述した接触部４０Ａは、電子タグ１２５及び磁気センサ１２６を含む。なお、図３では、接触部４０Ａのみが示されているが、接触部４０Ｂ及び接触部４０Ｃも、接触部４０Ａと同様に、電子タグ１２５及び磁気センサ１２６を含む。
【００３４】
制御部１０２は、例えばＣＰＵによって構成され、コンテンツの再生、コンテンツの削除等の携帯電話機１Ａが実行可能な各種処理機能を制御するとともに、携帯電話機１Ｂや、図示しない基地局等の外部の通信装置との通信を制御する。
【００３５】
記憶部１０３は、例えばメモリによって構成される。記憶部１０３は、音声や映像等のコンテンツのデータ、当該コンテンツの識別情報等を含むコンテンツ関連情報、携帯電話機１Ａにおいて実行可能な処理機能に関する情報である処理機能関連情報等、各種情報を記憶する。携帯電話機１Ａにおいて実行可能な処理機能とは、携帯電話機１Ａの電源がオンの場合には、常時実行可能であるコンテンツの再生、コンテンツの削除等の処理機能と、後述する仮想タッチパネルモードである場合にのみ実行可能である拡張処理機能である。制御部１０２は、記憶部１０３内の処理機能関連情報に基づいて、対応する処理機能が実行可能な状態となるように、所定の制御を行う。
【００３６】
通信処理部１０６は、アンテナ１０４を介して、携帯電話機１Ｂや、外部の通信装置との間で、無線信号の送受信を行う。通信処理部１０６は、ＢｌｕｅＴｏｏｔｈ、ＷｉＦｉ（Wireless Fidelity）、符号分割多重接続（ＣＤＭＡ：Code Division Multiple Access）、ＷｉＭＡＸ（Worldwide Interoperability for Microwave Access）等の無線通信技術を用いることができる。
【００３７】
マイク１１２は、周辺の音声を集音し、集音された音声に基づく音声信号をエンコーダ１０８へ出力する。エンコーダ１０８は、マイク１１２からの音声信号を符号化することによって音声データを生成する。更に、エンコーダ１０８は、音声データを制御部１０２へ出力する。
【００３８】
カメラ１１４は、周辺を撮影し、映像信号をエンコーダ１０８へ出力する。エンコーダ１０８は、カメラ１１４からの映像信号を符号化することによって映像データを生成する。更に、エンコーダ１０８は、映像データを制御部１０２へ出力する。例えば、音声データや映像データは、外部の通信装置へ送信される。
【００３９】
デコーダ１１０は、制御部１０２からの音声データを復号することによって音声信号を生成し、スピーカ１１６へ出力する。ここで、音声データは、例えば、携帯電話機１Ｂや、外部の通信装置によって送信された音声データである。スピーカ１１６は、デコーダ１１０からの音声信号に基づいて音声を出力する。出力される音声は、例えば、外部の通信装置の利用者が発する音声である。
【００４０】
また、デコーダ１１０は、制御部１０２からの映像データを復号することによって映像信号を生成し、タッチパネル式ディスプレイ３０内の表示部１１８へ出力する。例えば、映像データは、外部の通信装置によって送信され、あるいは、制御部１０２によって生成された映像データである。表示部１１８は、デコーダ１１０からの映像信号に基づいて映像を表示する。表示される映像は、例えば、外部の通信装置の利用者の映像、操作画面の映像等である。ここで、操作画面の映像は、処理機能を選択するための選択ボタン（処理機能選択ボタン）の映像と、コンテンツを選択するための選択ボタン（コンテンツ選択ボタン）の映像とを含む。
【００４１】
タッチセンサ１２０は、表示部１１８に取り付けられている。表示部１１８に操作画面が表示されている状態において、携帯電話機１Ａの利用者がタッチパネル式ディスプレイ３０に指等を接触させると、検出部１２４は、接触位置を検出する。更に、検出部１２４は、接触位置の情報を含んだ操作信号である内部操作信号を制御部１０２へ出力する。
【００４２】
電子タグ１２５は、プロファイルを保持する。このプロファイルは、携帯電話機１Ｂにおける携帯電話機１Ａの認証に用いる認証情報と、携帯電話機１Ａ内のタッチパネル式ディスプレイ３０と携帯電話機１Ｂ内のタッチパネル式ディスプレイ３０とによってタッチパネル式操作部３１を構成可能であるか否か、携帯電話機１Ａが携帯電話機１Ｂに記憶されたコンテンツを処理可能であるか否か、及び、携帯電話機１Ｂが携帯電話機１Ａに記憶されたコンテンツを処理可能であるか否かを示す互換性情報とを含む。
【００４３】
携帯電話機１Ａ内の電子タグ１２５に保持されたプロファイルは、図２に示すように、携帯電話機１Ａと携帯電話機１Ｂとが接触し、更に、携帯電話機１Ａ内の接触部４０Ａが携帯電話機１Ｂ内の接触部４０Ｂと接触した場合に、携帯電話機１Ｂ内の接触部４０Ｂに含まれる磁気センサ１２６によって読み出される。
【００４４】
磁気センサ１２６は、携帯電話機１Ａと携帯電話機１Ｂとが接触し、携帯電話機１Ａ内の接触部４０Ａが携帯電話機１Ｂ内の接触部４０Ｂと接触した場合に、携帯電話機１Ｂ内の接触部４０Ｂに含まれる電子タグ１２５に保持されたプロファイルを読み出す。このプロファイルは、携帯電話機１Ａにおける携帯電話機１Ｂの認証に用いる認証情報と、携帯電話機１Ａ内のタッチパネル式ディスプレイ３０と携帯電話機１Ｂ内のタッチパネル式ディスプレイ３０とによってタッチパネル式操作部３１を構成可能であるか否か、携帯電話機１Ｂが携帯電話機１Ａに記憶されたコンテンツを処理可能であるか否か、及び、携帯電話機１Ａが携帯電話機１Ｂに記憶されたコンテンツを処理可能であるか否かを示す互換性情報とを含む。更に、磁気センサ１２６は、読み出したプロファイルを制御部１０２へ出力する。
【００４５】
（１．２．２）携帯電話機の詳細構成
次に、携帯電話機１Ａ及び携帯電話機１Ｂの詳細構成、具体的には、制御部１０２の機能ブロック構成について説明する。但し、携帯電話機１Ｂ内の制御部１０２の概略構成は携帯電話機１Ａ内の制御部１０２と同様であるため、携帯電話機１Ｂ内の制御部１０２の概略構成についての説明は省略する。
【００４６】
図４は、携帯電話機１Ａにおける制御部１０２の機能ブロック構成図である。
【００４７】
図４に示すように、携帯電話機１Ａ内の制御部１０２は、処理実行部２０１、互換性判定部２０２、状態要求送信部２０４、状態要求受信部２０６、外部情報受信部２０８、内部情報取得部２１０、操作判定部２１４、設定部２１６、状態制御部２１８及び内部情報送信部２２０を含む。
【００４８】
互換性判定部２０２は、磁気センサ１２６により読み取られたプロファイルに含まれる互換性情報に基づいて、携帯電話機１Ａ内のタッチパネル式ディスプレイ３０と携帯電話機１Ｂ内のタッチパネル式ディスプレイ３０とによってタッチパネル式操作部３１を構成可能であるか否か、携帯電話機１Ｂが携帯電話機１Ａに記憶されたコンテンツを処理可能であるか否か、及び、携帯電話機１Ａが携帯電話機１Ｂに記憶されたコンテンツを処理可能であるか否かを判定する。更に、互換性判定部２０２は、判定結果を状態要求送信部２０４へ出力する。
【００４９】
状態要求送信部２０４は、判定結果を入力する。この判定結果が、携帯電話機１Ａ内のタッチパネル式ディスプレイ３０と携帯電話機１Ｂ内のタッチパネル式ディスプレイ３０とによってタッチパネル式操作部３１を構成可能であり、携帯電話機１Ｂが携帯電話機１Ａに記憶されたコンテンツを処理可能であり、且つ、携帯電話機１Ａが携帯電話機１Ｂに記憶されたコンテンツを処理可能であることを示している場合、状態要求送信部２０４は、携帯電話機１Ａ内のタッチパネル式ディスプレイ３０と携帯電話機１Ｂ内のタッチパネル式ディスプレイ３０とによってタッチパネル式操作部３１を構成し、携帯電話機１Ｂが携帯電話機１Ａに記憶されたコンテンツを処理し、且つ、携帯電話機１Ａが携帯電話機１Ｂに記憶されたコンテンツを処理する状態（以下、「仮想タッチパネルモード」と称する）となるように、携帯電話機１Ｂへ要求するための仮想タッチパネルモード移行要求を送信する。この仮想タッチパネルモード移行要求は、携帯電話機１Ａ内の通信処理部１０６及び携帯電話機１Ａ内のアンテナ１０４を介して、携帯電話機１Ｂへ送信される。更に、状態要求送信部２０４は、仮想タッチパネルモード移行要求を送信したことを示す通知を、処理実行部２０１及び状態制御部２１８へ出力する。
【００５０】
状態要求受信部２０６は、携帯電話機１Ｂから送信される仮想タッチパネルモード移行要求を、携帯電話機１Ａ内のアンテナ１０４及び携帯電話機１Ａ内の通信処理部１０６を介して受信する。この仮想タッチパネルモード移行要求は、携帯電話機１Ａ内のタッチパネル式ディスプレイ３０と携帯電話機１Ｂ内のタッチパネル式ディスプレイ３０とによってタッチパネル式操作部３１を構成し、携帯電話機１Ｂが携帯電話機１Ａに記憶されたコンテンツを処理し、且つ、携帯電話機１Ａが携帯電話機１Ｂに記憶されたコンテンツを処理する状態（仮想タッチパネルモード）となるように、携帯電話機１Ｂが携帯電話機１Ａへ要求するためのものである。更に、状態要求受信部２０６は、仮想タッチパネルモード移行要求を受信したことを示す通知を、処理実行部２０１及び状態制御部２１８へ通知する。
【００５１】
処理実行部２０１及び状態制御部２１８は、状態要求送信部２０４からの仮想タッチパネルモード移行要求を送信したことの通知と、状態要求受信部２０６からの仮想タッチパネルモード移行要求を受信したことを示す通知とを入力すると、携帯電話機１Ａを仮想タッチパネルモードへ移行させる。なお、携帯電話機１Ｂも、上述した携帯電話機１Ａの処理と同様の処理を行い、仮想タッチパネルモードへ移行することができる。
【００５２】
更に、処理実行部２０１は、設定部２１６に対して、拡張処理機能の設定を指示する。ここで、拡張処理機能とは、携帯電話機１Ａが他の携帯電話機と接触した場合にのみ、携帯電話機１Ａにおいて実行可能となる処理機能を示す。拡張処理機能は、例えば、他の携帯電話機に記憶されたコンテンツを携帯電話機１Ａへ複製する機能、携帯電話機１Ａに記憶されたコンテンツと、他の携帯電話機に記憶されたコンテンツとの同期をとる機能である。
【００５３】
設定部２１６は、処理実行部２０１からの指示に従って、拡張処理機能を設定する。例えば、記憶部１０３に記憶された、処理機能関連情報には、対応する処理機能が拡張処理機能であるか否かを示す情報（拡張機能識別情報）が含まれている。設定部２１６は、拡張機能識別情報に基づいて、拡張処理機能を特定し、対応する処理機能関連情報に基づいて、拡張処理機能が実行可能な状態となるように、所定の制御を行う。
【００５４】
携帯電話機１Ａと携帯電話機１Ｂとがそれぞれ仮想タッチパネルモードに移行した後は、利用者によるタッチパネル式操作部３１の操作に応じて、以下の処理が行われる。
【００５５】
（第１の操作に応じた処理）
携帯電話機１Ａ及び携帯電話機１Ｂが仮想タッチパネルモードとなった場合において、利用者は、携帯電話機１Ｂに記憶されたコンテンツを、携帯電話機１Ａにおいて実行可能な処理機能に応じて処理させるために、タッチパネル式操作部３１の操作（第１の操作）を行う。
【００５６】
具体的には、利用者は、携帯電話機１Ｂ内のタッチパネル式ディスプレイ３０におけるコンテンツ選択ボタンの映像の表示部分で指等の接触を開始し、接触した状態を維持して指等を移動させ、携帯電話機１Ｂ内のタッチパネル式ディスプレイ３０における携帯電話機１Ａ側の外縁近傍の所定領域で、指等の接触を終了する操作を行い、更に、携帯電話機１Ａ内のタッチパネル式ディスプレイ３０における携帯電話機１Ｂ側の外縁近傍の所定領域で指等の接触を開始し、接触した状態を維持して指等を移動させ、携帯電話機１Ａ内のタッチパネル式ディスプレイ３０における処理機能選択ボタンの映像の表示部分で指等の接触を終了する操作を行う。このような第１の操作が行われた場合には、以下の処理が行われる。
【００５７】
外部情報受信部２０８は、携帯電話機１Ｂからの外部コンテンツ選択情報を受信する。
【００５８】
具体的には、携帯電話機１Ａ及び携帯電話機１Ｂが仮想タッチパネルモードとなった場合において、利用者が、携帯電話機１Ｂ内のタッチパネル式ディスプレイ３０におけるコンテンツ選択ボタンの映像の表示部分で指等の接触を開始し、携帯電話機１Ｂ内に記憶されたコンテンツ（以下、適宜「外部コンテンツ」と称する）を選択した場合、携帯電話機１Ｂは、当該外部コンテンツが選択されたことを示す外部コンテンツ選択情報を生成する。外部コンテンツ選択情報は、選択された外部コンテンツの識別情報を含む。更に、携帯電話機１Ｂは、外部コンテンツ選択情報を送信する。
【００５９】
一方、携帯電話機１Ａ内の制御部１０２に含まれる外部情報受信部２０８は、携帯電話機１Ａ内のアンテナ１０４及び携帯電話機１Ａ内の通信処理部１０６を介して、外部コンテンツ選択情報を受信する。更に、外部情報受信部２０８は、外部コンテンツ選択情報を処理実行部２０１へ出力する。
【００６０】
内部情報取得部２１０は、検出部１２４からの内部操作信号を入力し、当該内部操作信号に含まれる接触位置の情報に基づいて、内部処理機能選択情報を生成する。
【００６１】
具体的には、携帯電話機１Ａ及び携帯電話機１Ｂが仮想タッチパネルモードとなった場合において、利用者が、タッチパネル式操作部３１のうち、携帯電話機１Ａ内のタッチパネル式ディスプレイ３０における処理機能選択ボタンの映像の表示部分で指等の接触を終了し、携帯電話機１Ａにおいて実行可能な処理機能（以下、適宜「内部処理機能」と称する）を選択した場合、内部情報取得部２１０は、検出部１２４からの内部操作信号に含まれる接触位置の情報に基づいて、内部処理機能が選択されたことを示す内部処理機能選択情報を生成する。内部処理機能選択情報は、選択された内部処理機能の識別情報を含む。更に、内部情報取得部２１０は、内部処理機能選択情報を処理実行部２０１へ出力する。
【００６２】
操作判定部２１４は、タッチパネル式操作部３１のうち、携帯電話機１Ｂ内のタッチパネル式ディスプレイ３０から携帯電話機１Ａ内のタッチパネル式ディスプレイ３０にかけて、利用者が連続的に指等を接触する操作（連続接触操作）を行ったか否かを判定する。
【００６３】
具体的には、携帯電話機１Ａ及び携帯電話機１Ｂが仮想タッチパネルモードとなった場合において、利用者が、携帯電話機１Ｂ内のタッチパネル式ディスプレイ３０における携帯電話機１Ａ側の外縁近傍の所定領域で、指等の接触を終了した場合、携帯電話機１Ｂは、接触終了位置を含んだ操作信号である、外部操作信号を生成する。次に、携帯電話機１Ｂは、外部操作信号を送信する。
【００６４】
一方、携帯電話機１Ａ内の制御部１０２に含まれる操作判定部２１４は、携帯電話機１Ａ内のアンテナ１０４及び携帯電話機１Ａ内の通信処理部１０６を介して、外部操作信号を受信する。
【００６５】
その後、利用者が、携帯電話機１Ａ内のタッチパネル式ディスプレイ３０における携帯電話機１Ｂ側の外縁近傍の所定領域で指等の接触を開始した場合、検出部１２４は、接触開始位置を含んだ内部操作信号を出力する。操作判定部２１４は、検出部１２４からの内部操作信号を入力する。
【００６６】
更に、操作判定部２１４は、外部操作信号を受信してから内部操作信号を受信するまでの時間が所定時間内（例えば、１秒以内）であり、且つ、外部操作信号に含まれる接触終了位置と、内部操作信号に含まれる接触開始位置とが所定の位置関係（例えば、接触位置が携帯電話機１Ａ内のタッチパネル式ディスプレイ３０における携帯電話機１Ｂ側の外縁近傍の所定領域であり、接触位置と離隔位置とを結ぶ直線と、携帯電話機１Ａと携帯電話機１Ｂの互いの接触面とのなす角度が４５度以上）である場合、利用者によって連続接触操作が行われたと判定する。更に、操作判定部２１４は、利用者によって連続接触操作が行われたと判定した場合、対応する判定結果を処理実行部２０１へ出力する。
【００６７】
処理実行部２０１は、外部情報受信部２０８からの外部コンテンツ選択情報と、内部情報取得部２１０からの内部処理機能選択情報と、操作判定部２１４からの判定結果とを入力する。この場合、処理実行部２０１は、携帯電話機１Ｂ内のタッチパネル式ディスプレイ３０での外部コンテンツの選択操作、携帯電話機１Ｂ内のタッチパネル式ディスプレイ３０から携帯電話機１Ａ内のタッチパネル式ディスプレイ３０にかけての連続接触操作、及び、携帯電話機１Ａ内のタッチパネル式ディスプレイ３０での内部処理機能の選択操作が、利用者によって行われたと判定する。
【００６８】
なお、携帯電話機１Ａが内部操作信号を携帯電話機１Ｂへ送信してもよい。この場合、携帯電話機１Ｂは、受信した内部操作信号と、携帯電話機１Ａへ送信した外部操作信号とに基づいて、利用者が連続接触操作を行ったか否かを判定することができる。
【００６９】
処理実行部２０１は、内部処理機能選択情報に含まれる内部処理機能の識別情報に基づいて、実行すべき内部処理機能を特定する。また、処理実行部２０１は、外部コンテンツ選択情報に含まれる外部コンテンツの識別情報に基づいて、処理対象となる外部コンテンツを特定する。
【００７０】
更に、処理実行部２０１は、実行すべき内部処理機能に応じて、携帯電話機１Ｂ内に記憶された、処理対象の外部コンテンツの処理を実行する。例えば、処理実行部２０１は、携帯電話機１Ａ内の通信処理部１０６及び携帯電話機１Ａ内のアンテナ１０４を介して、携帯電話機１Ｂに接続し、携帯電話機１Ｂから外部コンテンツとしての映像データを読み出す。更に、処理実行部２０１は、映像データを読み出しつつ再生する、ストリーミング再生を行う。
【００７１】
（第２の操作に応じた処理）
携帯電話機１Ａ及び携帯電話機１Ｂが仮想タッチパネルモードとなった場合において、利用者は、携帯電話機１Ａに記憶されたコンテンツを、携帯電話機１Ｂにおいて実行可能な処理機能に応じて処理させるために、タッチパネル式操作部３１の操作（第２の操作）を行う。
【００７２】
具体的には、利用者は、携帯電話機１Ａ内のタッチパネル式ディスプレイ３０におけるコンテンツ選択ボタンの映像の表示部分で指等の接触を開始し、接触した状態を維持して指等を移動させ、携帯電話機１Ａ内のタッチパネル式ディスプレイ３０における携帯電話機１Ｂ側の外縁近傍の所定領域で、指等の接触を終了する操作を行い、更に、携帯電話機１Ｂ内のタッチパネル式ディスプレイ３０における携帯電話機１Ａ側の外縁近傍の所定領域で指等の接触を開始し、接触した状態を維持して指等を移動させ、携帯電話機１Ｂ内のタッチパネル式ディスプレイ３０における処理機能選択ボタンの映像の表示部分で指等の接触を終了する操作を行う。このような第２の操作が行われた場合には、以下の処理が行われる。
【００７３】
状態制御部２１８は、検出部１２４からの内部操作信号を入力し、当該内部操作信号に含まれる接触位置の情報に基づいて、記憶部１０３に記憶されたコンテンツ（以下、適宜「内部コンテンツ」と称する）を、携帯電話機１Ｂにおいて処理可能な状態とする。
【００７４】
具体的には、携帯電話機１Ａ及び携帯電話機１Ｂが仮想タッチパネルモードとなった場合において、利用者が、タッチパネル式操作部３１のうち、携帯電話機１Ａ内のタッチパネル式ディスプレイ３０におけるコンテンツ選択ボタンの映像の表示部分で指等の接触を開始し、内部コンテンツを選択した場合、状態制御部２１８は、検出部１２４からの内部操作信号に含まれる接触位置の情報に基づいて、内部コンテンツが選択されたことを認識する。更に、状態制御部２１８は、選択された内部コンテンツを、携帯電話機１Ｂにおいて処理可能な状態とする。例えば、状態制御部２１８は、携帯電話機１Ｂが内部コンテンツを読み出そうとした場合に、その読み出しを許可する。また、状態制御部２１８は、選択された内部コンテンツの識別情報を、内部情報送信部２２０へ出力する。
【００７５】
内部情報送信部２２０は、状態制御部２１８からの内部コンテンツの識別情報を入力する。更に、内部情報送信部２２０は、入力した内部コンテンツの識別情報を含んだ内部コンテンツ選択情報を生成し、送信する。この内部コンテンツ選択情報は、携帯電話機１Ａ内の通信処理部１０６及び携帯電話機１Ａ内のアンテナ１０４を介して、携帯電話機１Ｂへ送信される。携帯電話機１Ｂは、内部コンテンツ選択情報に基づいて、選択された内部コンテンツを認識することができる。
【００７６】
また、携帯電話機１Ａ及び携帯電話機１Ｂが仮想タッチパネルモードとなった場合において、利用者が、携帯電話機１Ａ内のタッチパネル式ディスプレイ３０における携帯電話機１Ｂ側の外縁近傍の所定領域で、指等の接触を終了した場合、検出部１２４は、接触終了位置を含んだ操作信号である、内部操作信号を生成する。更に、検出部１２４は、内部操作信号を内部情報送信部２２０へ出力する。内部情報送信部２２０は、内部操作信号を入力し、送信する。この内部操作信号は、携帯電話機１Ａ内の通信処理部１０６及び携帯電話機１Ａ内のアンテナ１０４を介して、携帯電話機１Ｂへ送信される。携帯電話機１Ｂは、この内部操作信号に含まれる接触終了位置を用いることにより、携帯電話機１Ａ内のタッチパネル式ディスプレイ３０から携帯電話機１Ｂ内のタッチパネル式ディスプレイ３０にかけて、利用者が連続的に指等を接触する操作（連続接触操作）を行ったか否かを判定することが可能となる。
【００７７】
（２）携帯電話機の動作
図５は、携帯電話機１Ａの第１の動作（仮想タッチパネルモード移行時の動作）を示すフローチャートである。
【００７８】
ステップＳ１０１において、携帯電話機１Ａ内の接触部４０Ａは、他端末である携帯電話機１Ｂ内の接触部４０Ｂと接触する。この場合、携帯電話機１Ａ内の接触部４０Ａに含まれる磁気センサ１２６は、携帯電話機１Ｂ内の接触部４０Ｂに含まれる電子タグ１２５に保持されたプロファイルを読み出し、制御部１０２へ出力する。
【００７９】
ステップＳ１０２において、制御部１０２は、入力したプロファイルに含まれる認証情報に基づいて、携帯電話機１Ｂの認証を行う。
【００８０】
ステップＳ１０３において、制御部１０２は、入力したプロファイルに含まれる互換性情報に基づいて、携帯電話機１Ｂが仮想タッチパネルモードに移行可能であるか否かを判定する。具体的には、制御部１０２は、携帯電話機１Ａ内のタッチパネル式ディスプレイ３０と携帯電話機１Ｂ内のタッチパネル式ディスプレイ３０とによってタッチパネル式操作部３１を構成可能であるか否か、携帯電話機１Ｂが携帯電話機１Ａに記憶されたコンテンツを処理可能であるか否か、及び、携帯電話機１Ａが携帯電話機１Ｂに記憶されたコンテンツを処理可能であるか否かを判定する。携帯電話機１Ｂが仮想タッチパネルモードに移行可能でない場合には、携帯電話機１Ａは、動作を終了する。
【００８１】
一方、携帯電話機１Ｂが仮想タッチパネルモードに移行可能である場合には、ステップＳ１０４において、制御部１０２は、自端末である携帯電話機１Ａが仮想タッチパネルモードに移行可能なタイミングであるか否かを判定する。具体的には、制御部１０２は、携帯電話機１Ａがアイドル状態の場合には、当該携帯電話機１Ａが仮想タッチパネルモードに移行可能なタイミングであると判定する。例えば、表示部１１８に待ち受け画像が表示されている場合は、アイドル状態である。一方、音声通話中、電子メールの送受信中、ゲーム等の所定のアプリケーションが実行中の場合は、アイドル状態ではない。
【００８２】
携帯電話機１Ａが仮想タッチパネルモードに移行可能なタイミングである場合、ステップＳ１０５において、制御部１０２は、携帯電話機１Ｂに対して、仮想タッチパネルモード移行要求を送信する。
【００８３】
一方、携帯電話機１Ｂも、上述したステップＳ１０１乃至Ｓ１０５の動作を行い、携帯電話機１Ａに対して、仮想タッチパネルモード移行要求を送信する。
【００８４】
ステップＳ１０６において、携帯電話機１Ａ内の制御部１０２は、携帯電話機１Ｂからの仮想タッチパネルモード移行要求を受信したか否かを判定する。
【００８５】
携帯電話機１Ｂからの仮想タッチパネルモード移行要求を受信した場合、ステップＳ１０７において、制御部１０２は、携帯電話機１Ａ内のタッチパネル式ディスプレイ３０と携帯電話機１Ｂ内のタッチパネル式ディスプレイ３０とによってタッチパネル式操作部３１を構成し、携帯電話機１Ｂが携帯電話機１Ａに記憶されたコンテンツを処理し、且つ、携帯電話機１Ａが携帯電話機１Ｂに記憶されたコンテンツを処理する状態（仮想タッチパネルモード）へ移行する。
【００８６】
ステップＳ１０８において、制御部１０２は、拡張処理機能を設定する。更に、制御部１０２は、記憶部１０３に記憶されたコンテンツ関連情報及び処理機能関連情報に基づいて、表示部１１８に仮想タッチパネルモードに対応する操作画面（仮想タッチパネルモード用操作画面）を表示させる。一方、携帯電話機１Ｂも、上述したステップＳ１０６乃至Ｓ１０８の動作を行う。
【００８７】
図６は、仮想タッチパネルモード移行前の状態（通常モード）の操作画面（通常モード用操作画面）の一例を示す図である。一方、図７は、仮想タッチパネルモード用操作画面の第１の例を示す図である。
【００８８】
図６及び図７において、携帯電話機１Ａ内のタッチパネル式ディスプレイ３０には、処理機能選択ボタン３０２Ａ乃至処理機能選択ボタン３０２Ｆの映像と、コンテンツ選択ボタン３０４Ａ乃至コンテンツ選択ボタン３０４Ｆの映像とを含んだ操作画面（図６は通常モード用操作画面、図７は仮想タッチパネルモード用操作画面）が表示されている。また、携帯電話機１Ｂ内のタッチパネル式ディスプレイ３０には、処理機能選択ボタン３１２Ａ乃至処理機能選択ボタン３１２Ｆの映像と、コンテンツ選択ボタン３１４Ａ乃至コンテンツ選択ボタン３１４Ｆの映像とを含んだ操作画面（図６は通常モード用操作画面、図７は仮想タッチパネルモード用操作画面）が表示されている。
【００８９】
図６では、携帯電話機１Ａ内のタッチパネル式ディスプレイ３０に表示される通常モード用操作画面において、処理機能選択ボタン３０２Ｃ、処理機能選択ボタン３０２Ｅ、処理機能選択ボタン３０２Ｆは、斜線部となっている。この斜線部は、携帯電話機１Ａにおいて、通常モードでは、処理機能である「送信」、「複製」、「同期」が実行不能であることを示す。また、図６では、携帯電話機１Ｂ内のタッチパネル式ディスプレイ３０に表示される通常時操作画面において、処理機能選択ボタン３１２Ａ、処理機能選択ボタン３１２Ｄ、処理機能選択ボタン３１２Ｅ、処理機能選択ボタン３１２Ｆは、斜線部となっている。この斜線部は、携帯電話機１Ｂにおいて、通常モードでは、処理機能である「予約録画」、「再生」、「複製」、「同期」が実行不能であることを示す。
【００９０】
図６に示す通常モード用操作画面が表示されている状態である通常モードから仮想タッチパネルモードに移行したと仮定する。更に、携帯電話機１Ａ及び携帯電話機１Ｂにおいて、処理機能である「複製」、「同期」が拡張処理機能であり、実行可能に遷移したと仮定する。
【００９１】
この場合、図７に示すように、携帯電話機１Ａ内のタッチパネル式ディスプレイ３０に表示される仮想タッチパネルモード用操作画面において、処理機能選択ボタン３０２Ｅ、処理機能選択ボタン３０２Ｆは、斜線のない状態に遷移する。また、携帯電話機１Ｂ内のタッチパネル式ディスプレイ３０に表示される仮想タッチパネルモード用操作画面において、処理機能選択ボタン３１２Ｅ、処理機能選択ボタン３１２Ｆは、斜線のない状態に遷移する。
【００９２】
図８は、携帯電話機１Ａの第２の動作（仮想タッチパネルモード移行後の動作）を示すフローチャートである。
【００９３】
ステップＳ２０１において、携帯電話機１Ａ内の制御部１０２は、携帯電話機１Ｂからの外部コンテンツ選択情報、携帯電話機１Ｂからの接触終了位置を含んだ外部操作信号、検出部１２４からの接触開始位置を含んだ内部操作信号、及び、自身が生成した内部処理機能選択情報に基づいて、他端末である携帯電話機１Ｂ内のタッチパネル式ディスプレイ３０での外部コンテンツの選択操作、携帯電話機１Ｂ内のタッチパネル式ディスプレイ３０から自端末である携帯電話機１Ａ内のタッチパネル式ディスプレイ３０にかけての連続接触操作、及び、携帯電話機１Ａ内のタッチパネル式ディスプレイ３０での内部処理機能の選択操作が、利用者によって行われたか否かを判定する。
【００９４】
外部コンテンツの選択操作、連続接触操作、及び、内部処理機能の選択操作が利用者によって行われた場合、ステップＳ２０２において、制御部１０２は、選択された内部処理機能に応じて、選択された外部コンテンツの処理を実行する。
【００９５】
図９は、仮想タッチパネルモード用操作画面の第２の例を示す図である。図９において、利用者は、携帯電話機１Ｂ内のタッチパネル式ディスプレイ３０に表示されている、コンテンツ選択ボタン３１４Ｆの表示部分で指３５０の接触を開始し、携帯電話機１Ｂ内のタッチパネル式ディスプレイ３０から携帯電話機１Ａ内のタッチパネル式ディスプレイ３０にかけて指３５０を移動させ、携帯電話機１Ａ内のタッチパネル式ディスプレイ３０における処理機能選択ボタン３０２Ｄの表示部分で指３５０の接触を終了する操作を行う。この場合、携帯電話機１Ａ内の制御部１０２は、コンテンツ選択ボタン３１４Ｆに対応するコンテンツＬを携帯電話機１Ｂから読み出す。更に、制御部１０２は、処理機能選択ボタン３０２Ｄに対応する処理機能「再生」に応じて、コンテンツＬの再生処理を行う。
【００９６】
再び、図８に戻って説明する。ステップＳ２０３において、携帯電話機１Ａ内の制御部１０２は、携帯電話機１Ｂとの接触が解除されたか否かを判定する。例えば、携帯電話機１Ａ内の磁気センサ１２６は、携帯電話機１Ｂ内の電子タグ１２５に周期的にアクセスする。そして、携帯電話機１Ａ内の磁気センサ１２６は、携帯電話機１Ｂ内の電子タグ１２５にアクセスすることができなくなった場合、その旨を携帯電話機１Ａ内の制御部１０２へ通知する。携帯電話機１Ａ内の制御部１０２は、この通知を受けた場合、携帯電話機１Ｂとの接触が解除されたと判定する。携帯電話機１Ｂとの接触が解除された場合、携帯電話機１Ａは、動作を終了する。一方、携帯電話機１Ｂとの接触が解除されていない場合には、ステップＳ２０１以降の動作が繰り返される。
【００９７】
また、ステップＳ２０１において、外部コンテンツの選択操作、連続接触操作、及び、内部処理機能の選択操作の何れかが、利用者によって行われていないと判定された場合、ステップＳ２０４において、制御部１０２は、携帯電話機１Ａ内のタッチパネル式ディスプレイ３０での内部コンテンツの選択操作が、利用者によって行われたか否かを判定する。
【００９８】
内部コンテンツの選択操作が行われた場合、ステップＳ２０５において、制御部１０２は、選択された内部コンテンツを、携帯電話機１Ｂから読み出し可能な状態とする。
【００９９】
ステップＳ２０６において、制御部１０２は、携帯電話機１Ｂへ内部コンテンツ選択情報を送信する。携帯電話機１Ｂは、この内部コンテンツ選択情報を受信する。更に、携帯電話機１Ａ内のタッチパネル式ディスプレイ３０から携帯電話機１Ｂ内のタッチパネル式ディスプレイ３０にかけての連続接触操作、及び、携帯電話機１Ｂ内のタッチパネル式ディスプレイ３０での処理機能の選択操作が、利用者によって行われた場合、携帯電話機１Ｂは、選択された処理機能に応じて、選択されたコンテンツの処理を実行する。
【０１００】
図１０は、仮想タッチパネルモード用操作画面の第３の例を示す図である。図１０において、利用者は、携帯電話機１Ａ内のタッチパネル式ディスプレイ３０に表示されている、コンテンツ選択ボタン３０４Ｄの表示部分で指３５０の接触を開始し、携帯電話機１Ａ内のタッチパネル式ディスプレイ３０から携帯電話機１Ｂ内のタッチパネル式ディスプレイ３０にかけて指３５０を移動させ、携帯電話機１Ｂ内のタッチパネル式ディスプレイ３０における処理機能選択ボタン３１２Ｃの表示部分で指３５０の接触を終了する操作を行う。この場合、携帯電話機１Ａ内の制御部１０２は、コンテンツ選択ボタン３１４Ｆに対応するコンテンツＤを携帯電話機１Ｂから読み出し可能な状態とする。これにより、携帯電話機１Ｂは、処理機能選択ボタン３１２Ｃに対応する処理機能「送信」に応じて、コンテンツＤを携帯電話機１Ａから読み出し、更に、外部へコンテンツＤを添付した電子メールを送信する処理を行うことが可能となる。
【０１０１】
本実施形態のコンテンツ処理システム１００は、携帯電話機１Ａと携帯電話機１Ｂとが接触すると、携帯電話機１Ａ内のタッチパネル式ディスプレイ３０と、携帯電話機１Ｂ内のタッチパネル式ディスプレイ３０とが、隣接して、所定操作部であるタッチパネル式操作部３１を構成し、更に、携帯電話機１Ａが携帯電話機１Ｂに記憶されたコンテンツを処理し、携帯電話機１Ｂが携帯電話機１Ａに記憶されたコンテンツを処理することが可能な状態（仮想タッチパネルモード）に移行する。
【０１０２】
この仮想タッチパネルモードの移行後に、携帯電話機１Ｂ内のタッチパネル式ディスプレイ３０での外部コンテンツの選択操作、携帯電話機１Ｂ内のタッチパネル式ディスプレイ３０から自端末である携帯電話機１Ａ内のタッチパネル式ディスプレイ３０にかけての連続接触操作、及び、携帯電話機１Ａ内のタッチパネル式ディスプレイ３０での内部処理機能の選択操作が、利用者によって行われた場合には、携帯電話機１Ａは、選択された内部処理機能に応じて、選択された外部コンテンツの処理を実行する。
【０１０３】
また、仮想タッチパネルモードの移行後に、携帯電話機１Ａ内のタッチパネル式ディスプレイ３０での内部コンテンツの選択操作が、利用者によって行われた場合には、携帯電話機１Ａは、選択された内部コンテンツを、携帯電話機１Ｂから読み出し可能な状態とする。
【０１０４】
このため、利用者は、携帯電話機１Ａ内のタッチパネル式ディスプレイ３０と携帯電話機１Ｂ内のタッチパネル式ディスプレイ３０とを所定操作部として使用することができ、利用者による簡易な操作で、携帯電話機１Ａ及び携帯電話機１Ｂの一方において記憶されているコンテンツを携帯電話機１Ａ及び携帯電話機１Ｂの他方において処理することが可能となる。
【０１０５】
また、本実施形態のコンテンツ処理システム１００によれば、仮想タッチパネルモードの移行後に、携帯電話機１Ａは、仮想タッチパネルモードである場合にのみ実行可能である拡張処理機能を設定している。このため、携帯電話機１Ａは、仮想タッチパネルモードの場合には、利用者に対して提供する処理機能のバリエーションを増やすことが可能となる。
【０１０６】
また、本実施形態のコンテンツ処理システム１００によれば、携帯電話機１Ａは、携帯電話機１Ｂのプロファイルに基づいて、当該携帯電話機１Ｂが仮想タッチパネルモードに移行可能か否かを判定している。このため、仮想タッチパネルモードに移行可能な携帯電話機と、仮想タッチパネルモードに移行不可能な携帯電話機とが混在している環境において、携帯電話機１Ａは、接触する他の携帯電話機が仮想タッチパネルモードに移行不可能であるにもかかわらず、自身が仮想タッチパネルモードに移行してしまうことがない。従って、携帯電話機１Ａは、他の携帯電話機の状態に応じて、適切に仮想タッチパネルモードへの移行を行うことが可能となる。
【０１０７】
（３）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１０８】
上述した実施形態では、仮想タッチパネルモードの移行後に、携帯電話機１Ｂ内のタッチパネル式ディスプレイ３０でのコンテンツの選択操作、携帯電話機１Ｂ内のタッチパネル式ディスプレイ３０から携帯電話機１Ａ内のタッチパネル式ディスプレイ３０にかけての連続接触操作、及び、携帯電話機１Ａ内のタッチパネル式ディスプレイ３０での処理機能の選択操作が、利用者によって行われた場合と、仮想タッチパネルモードの移行後に、携帯電話機１Ａ内のタッチパネル式ディスプレイ３０でのコンテンツの選択操作、携帯電話機１Ａ内のタッチパネル式ディスプレイ３０から携帯電話機１Ｂ内のタッチパネル式ディスプレイ３０にかけての連続接触操作、及び、携帯電話機１Ｂ内のタッチパネル式ディスプレイ３０での処理機能の選択操作が、利用者によって行われた場合とについて説明したが、他の操作が利用者によって行われた場合も、同様に本発明を適用することができる。
【０１０９】
図１１は、仮想タッチパネルモード用操作画面の第４の例を示す図である。図１１において、利用者は、携帯電話機１Ｂ内のタッチパネル式ディスプレイ３０に表示されている、コンテンツ選択ボタン３１４Ｅの表示部分に指３５０を接触させる。更に、利用者は、コンテンツ選択ボタン３１４Ｂの表示部分で指３５０の接触を開始し、携帯電話機１Ｂ内のタッチパネル式ディスプレイ３０から携帯電話機１Ａ内のタッチパネル式ディスプレイ３０にかけて指３５０を移動させ、携帯電話機１Ａ内のタッチパネル式ディスプレイ３０における処理機能選択ボタン３０２Ｅの表示部分で指３５０の接触を終了する操作を行う。
【０１１０】
この場合、携帯電話機１Ａ内の制御部１０２は、携帯電話機１Ｂからの外部コンテンツ選択情報に基づいて、コンテンツ選択ボタン３１４Ｅ及び３１４Ｂに対応するコンテンツＫ及びコンテンツＨの選択操作が、利用者によって行われたと判定する。また、携帯電話機１Ａ内の制御部１０２は、携帯電話機１Ｂからの接触終了位置を含んだ外部操作信号と、検出部１２４からの接触開始位置を含んだ内部操作信号とに基づいて、携帯電話機１Ｂ内のタッチパネル式ディスプレイ３０から携帯電話機１Ａ内のタッチパネル式ディスプレイ３０にかけて連続接触操作が、利用者によって行われたと判定する。更に、携帯電話機１Ａ内の制御部１０２は、自身が生成した内部処理機能選択情報に基づいて、処理機能選択ボタン３０２Ｅに対応する処理機能「複製」が選択されたと判定する。
【０１１１】
上述の判定後、携帯電話機１Ａ内の制御部１０２は、コンテンツＫ及びコンテンツＨを携帯電話機１Ｂから読み出す。更に、制御部１０２は、処理機能「複製」に応じて、コンテンツＫ及びコンテンツＨの複製処理を行う。
【０１１２】
図１２は、仮想タッチパネルモード用操作画面の第５の例を示す図である。図１２において、利用者は、携帯電話機１Ａ内のタッチパネル式ディスプレイ３０に表示されている、処理機能選択ボタン３０２Ｄの表示部分で指３５０の接触を開始し、携帯電話機１Ａ内のタッチパネル式ディスプレイ３０から携帯電話機１Ｂ内のタッチパネル式ディスプレイ３０にかけて指３５０を移動させ、携帯電話機１Ｂ内のタッチパネル式ディスプレイ３０におけるコンテンツ選択ボタン３１４Ｆの表示部分で指３５０の接触を終了する操作を行う。
【０１１３】
この場合、携帯電話機１Ａ内の制御部１０２は、自身が生成した内部処理機能選択情報に基づいて、処理機能選択ボタン３０２Ｄに対応する処理機能「再生」が選択されたと判定する。また、携帯電話機１Ａ内の制御部１０２は、検出部１２４からの接触終了位置を含んだ内部操作信号と、携帯電話機１Ｂからの接触開始位置を含んだ外部操作信号とに基づいて、携帯電話機１Ａ内のタッチパネル式ディスプレイ３０から携帯電話機１Ｂ内のタッチパネル式ディスプレイ３０にかけて連続接触操作が、利用者によって行われたと判定する。更に、携帯電話機１Ａ内の制御部１０２は、携帯電話機１Ｂからの外部コンテンツ選択情報に基づいて、コンテンツ選択ボタン３１４Ｆに対応するコンテンツＬの選択操作が、利用者によって行われたと判定する。
【０１１４】
上述の判定後、携帯電話機１Ａ内の制御部１０２は、コンテンツＬを携帯電話機１Ｂから読み出す。更に、制御部１０２は、処理機能「再生」に応じて、コンテンツＬの再生処理を行う。
【０１１５】
図１３は、仮想タッチパネルモード用操作画面の第６の例を示す図である。図１３において、利用者は、携帯電話機１Ａ内のタッチパネル式ディスプレイ３０に表示されている、処理機能選択ボタン３０２Ｄの表示部分に指３５０を接触させる。更に、利用者は、携帯電話機１Ａ内のタッチパネル式ディスプレイ３０に表示されている、処理機能選択ボタン３１２Ｄの表示部分に指３５０を接触させ、携帯電話機１Ｂ内のタッチパネル式ディスプレイ３０におけるコンテンツ選択ボタン３１４Ｆの表示部分に指３５０を接触させる。
【０１１６】
この場合、携帯電話機１Ａ内の制御部１０２は、自身が生成した内部処理機能選択情報に基づいて、処理機能選択ボタン３０２Ｄに対応する処理機能「再生」が選択されたと判定する。また、携帯電話機１Ａ内の制御部１０２は、携帯電話機１Ａ内の制御部１０２は、携帯電話機１Ｂからの外部コンテンツ選択情報に基づいて、コンテンツ選択ボタン３１４Ｆに対応するコンテンツＬの選択操作が、利用者によって行われたと判定する。
【０１１７】
上述の判定後、携帯電話機１Ａ内の制御部１０２は、コンテンツＬを携帯電話機１Ｂから読み出す。更に、制御部１０２は、処理機能「再生」に応じて、コンテンツＬの再生処理を行う。なお、携帯電話機１Ｂ内のタッチパネル式ディスプレイ３０処理機能選択ボタン３１２Ｄの表示部分と、コンテンツ選択ボタン３１４Ｆの表示部分とに。利用者が指３５０を接触させたことに応じて、
携帯電話機１Ｂも、同様に、コンテンツＬの再生処理を行う。
【０１１８】
また、上述した実施形態では、携帯電話機１Ａと携帯電話機１Ｂとが接触してコンテンツ処理システム１００が構成される場合について説明したが、３つ以上の携帯電話機が接触した場合も、同様にコンテンツ処理システムが構成される。
【０１１９】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１２０】
【図１】本実施形態に係るコンテンツ処理システムの第１の全体概略構成図である。
【図２】本実施形態に係るコンテンツ処理システムの第２の全体概略構成図である。
【図３】本実施形態に係る携帯電話機の概略構成図である。
【図４】本実施形態に係る、携帯電話機における制御部の機能ブロック構成図である。
【図５】本実施形態に係る携帯電話機の仮想タッチパネルモード移行時の動作を示すフローチャートである。
【図６】本実施形態に係る、仮想タッチパネルモード移行前の状態の操作画面の一例を示す図である。
【図７】本実施形態に係る、仮想タッチパネルモード移行後の状態の操作画面の第１の例を示す図である。
【図８】本実施形態に係る携帯電話機の仮想タッチパネルモード移行後の動作を示すフローチャートである。
【図９】本実施形態に係る、仮想タッチパネルモード移行後の状態の操作画面の第２の例を示す図である。
【図１０】本実施形態に係る、仮想タッチパネルモード移行後の状態の操作画面の第３の例を示す図である。
【図１１】本実施形態に係る、仮想タッチパネルモード移行後の状態の操作画面の第４の例を示す図である。
【図１２】本実施形態に係る、仮想タッチパネルモード移行後の状態の操作画面の第５の例を示す図である。
【図１３】本実施形態に係る、仮想タッチパネルモード移行後の状態の操作画面の第６の例を示す図である。
【符号の説明】
【０１２１】
１Ａ、１Ｂ…携帯電話機、３０…タッチパネル式ディスプレイ、３１…タッチパネル式操作部、４０Ａ、４０Ｂ、４０Ｃ…接触部、１００…コンテンツ処理システム、１０２…制御部、１０３…記憶部、１０４…アンテナ、１０６…通信処理部、１０８…エンコーダ、１１０…デコーダ、１１２…マイク、１１４…カメラ、１１６…スピーカ、１１８…表示部、１２０…タッチセンサ、１２４…検出部、１２５…電子タグ、１２６…磁気センサ、２０１…処理実行部、２０２…互換性判定部、２０４…状態要求送信部、２０６…状態要求受信部、２０８…外部情報受信部、２１０…内部情報取得部、２１４…操作判定部、２１６…設定部、２１８…状態制御部、２２０…内部情報送信部
【図１】
2010108212.tif 000003
【図２】
2010108212.tif 000004
【図３】
2010108212.tif 000005
【図４】
2010108212.tif 000006
【図５】
2010108212.tif 000007
【図６】
2010108212.tif 000008
【図７】
2010108212.tif 000009
【図８】
2010108212.tif 000010
【図９】
2010108212.tif 000011
【図１０】
2010108212.tif 000012
【図１１】
2010108212.tif 000013
【図１２】
2010108212.tif 000014
【図１３】
2010108212.tif 000015